【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
指定された編集色を変換する色変換テーブルを生成する画像処理装置であって、
前記編集色の指定を受け付ける第１の入力手段と、
前記編集色の色相、彩度、輝度の１つ以上の調整による前記編集色の調整を受け付ける第２の入力手段と、
前記第２の入力手段が受け付けた前記編集色の調整が、前記編集色の彩度及び輝度の値によって定まる調整可能範囲を超えるものであるか否かを判別する判別手段と、
前記判別手段により、前記彩度及び輝度の一方に対する調整が前記調整可能範囲を超えるものであると判別された場合には、前記調整が前記調整可能範囲に含まれるように、前記彩度及び輝度の他方の値を前記一方の値と連動させて自動的に変更する調整手段と、
前記判別手段により、前記彩度及び輝度の一方に対する調整が前記調整可能範囲を超えるものであると判別された場合には、前記第２の入力手段が受け付けた前記色相、彩度、輝度の１つ以上の調整と、前記調整手段により変更された前記彩度又は前記輝度とに基づいて、前記編集色を変換する色変換テーブルを生成し、前記判別手段により、前記彩度及び輝度の一方に対する調整が前記調整可能範囲を超えるものでないと判別された場合には、前記第２の入力手段が受け付けた前記色相、彩度、輝度の１つ以上の調整に基づいて前記色変換テーブルを生成する生成手段とを有することを特徴とする画像処理装置。
【請求項２】
前記編集色の色相、彩度、輝度の値を、予め定めた色空間の予め定めた輝度に対応する彩度及び色相の範囲を示すカラーホイールと、輝度の範囲を表す輝度バーの対応する位置にそれぞれ表示する表示手段をさらに有することを特徴とする請求項１記載の画像処理装置。
【請求項３】
前記表示手段が、前記カラーホイール上に、前記編集色の輝度の値に対応する彩度の調整可能範囲を示す表示を行うことを特徴とする請求項２記載の画像処理装置。
【請求項４】
前記表示手段が、前記輝度バー上に、前記編集色の彩度の値に対応する輝度の調整可能範囲を示す表示を行うことを特徴とする請求項２又は請求項３記載の画像処理装置。
【請求項５】
前記調整手段が、
前記自動的な変更が有効化されているか否かを判別するとともに、
前記彩度及び輝度の一方に対する調整が前記調整可能範囲を超えるものである場合、前記自動的な変更が有効化されていれば前記自動的な変更を行い、前記自動的な変更が有効化されていなければ、前記彩度及び輝度の一方に対する調整を前記調整可能範囲の上限値又は下限値に制限することを特徴とする請求項１乃至請求項４のいずれか１項に記載の画像処理装置。
【請求項６】
前記調整手段が、前記調整が前記上限値又は下限値に制限された前記彩度及び輝度の一方に対して、再度、前記調整可能範囲を超える調整を受け付けた場合には、前記自動的な変更が有効化されているものと判別することを特徴とする請求項５記載の画像処理装置。
【請求項７】
前記彩度及び輝度の一方に対する調整が前記調整可能範囲を超えるものである場合、前記調整手段が、前記彩度及び輝度の一方の値が前記調整可能範囲の上限値を維持するように前記彩度及び輝度の他方の値を連動させて自動的に変更することを特徴とする請求項１乃至請求項６のいずれか１項に記載の画像処理装置。
【請求項８】
前記彩度及び輝度の一方に対する調整が、前記自動的な変更を行う前の前記彩度及び輝度の他方の値に対応する前記調整可能範囲を超えない値に戻された場合、前記調整手段が前記彩度及び輝度の他方の値の前記自動的な変更を中止することを特徴とする請求項１乃至請求項７のいずれか１項に記載の画像処理装置。
【請求項９】
指定された編集色を変換する色変換テーブルを生成する画像処理方法であって、
第１の入力手段が、前記編集色の指定を第１の入力手段を通じて受け付ける第１の入力工程と、
第２の入力手段が、前記編集色の色相、彩度、輝度の１つ以上の調整による前記編集色の調整を受け付ける第２の入力工程と、
判別手段が、前記第２の入力工程で受け付けた前記編集色の調整が、前記編集色の彩度及び輝度の値によって定まる調整可能範囲を超えるものであるか否かを判別する判別工程と、
前記判別工程により、前記彩度及び輝度の一方に対する調整が前記調整可能範囲を超えるものであると判別された場合には、前記調整が前記調整可能範囲に含まれるように、前記彩度及び輝度の他方の値を前記一方の値と連動させて自動的に変更する調整工程と、
生成手段が、
前記判別工程により、前記彩度及び輝度の一方に対する調整が前記調整可能範囲を超えるものであると判別された場合には、前記第２の入力工程で受け付けた前記色相、彩度、輝度の１つ以上の調整と、前記調整工程により変更された前記彩度又は前記輝度とに基づいて、前記編集色を変換する色変換テーブルを生成し、
前記判別工程により、前記彩度及び輝度の一方に対する調整が前記調整可能範囲を超えるものでないと判別された場合には、前記第２の入力工程で受け付けた前記色相、彩度、輝度の１つ以上の調整に基づいて前記色変換テーブルを生成する生成工程とを有することを特徴とする画像処理方法。
【請求項１０】
コンピュータを、請求項１乃至請求項８のいずれか１項に記載の画像処理装置の各手段として機能させるためのプログラム。
【手続補正２】
【補正対象書類名】明細書
【補正対象項目名】０００８
【補正方法】変更
【補正の内容】
【０００８】
上述の目的は、指定された編集色を変換する色変換テーブルを生成する画像処理装置であって、編集色の指定を受け付ける第１の入力手段と、編集色の色相、彩度、輝度の１つ以上の調整による編集色の調整を受け付ける第２の入力手段と、第２の入力手段が受け付けた編集色の調整が、編集色の彩度及び輝度の値によって定まる調整可能範囲を超えるものであるか否かを判別する判別手段と、判別手段により、彩度及び輝度の一方に対する調整が調整可能範囲を超えるものであると判別された場合には、調整が調整可能範囲に含まれるように、彩度及び輝度の他方の値を一方の値と連動させて自動的に変更する調整手段と、判別手段により、彩度及び輝度の一方に対する調整が調整可能範囲を超えるものであると判別された場合には、第２の入力手段が受け付けた色相、彩度、輝度の１つ以上の調整と、調整手段により変更された彩度又は輝度とに基づいて、編集色を変換する色変換テーブルを生成し、判別手段により、彩度及び輝度の一方に対する調整が調整可能範囲を超えるものでないと判別された場合には、第２の入力手段が受け付けた色相、彩度、輝度の１つ以上の調整に基づいて色変換テーブルを生成する生成手段とを有することを特徴とする画像処理装置によって達成される。
【手続補正３】
【補正対象書類名】明細書
【補正対象項目名】０００９
【補正方法】変更
【補正の内容】
【０００９】
また、上述の目的は、指定された編集色を変換する色変換テーブルを生成する画像処理方法であって、第１の入力手段が、編集色の指定を第１の入力手段を通じて受け付ける第１の入力工程と、第２の入力手段が、編集色の色相、彩度、輝度の１つ以上の調整による編集色の調整を受け付ける第２の入力工程と、判別手段が、第２の入力工程で受け付けた編集色の調整が、編集色の彩度及び輝度の値によって定まる調整可能範囲を超えるものであるか否かを判別する判別工程と、判別工程により、彩度及び輝度の一方に対する調整が調整可能範囲を超えるものであると判別された場合には、調整が調整可能範囲に含まれるように、彩度及び輝度の他方の値を一方の値と連動させて自動的に変更する調整工程と、生成手段が、判別工程により、彩度及び輝度の一方に対する調整が調整可能範囲を超えるものであると判別された場合には、第２の入力工程で受け付けた色相、彩度、輝度の１つ以上の調整と、調整工程により変更された彩度又は輝度とに基づいて、編集色を変換する色変換テーブルを生成し、判別工程により、彩度及び輝度の一方に対する調整が調整可能範囲を超えるものでないと判別された場合には、第２の入力工程で受け付けた色相、彩度、輝度の１つ以上の調整に基づいて色変換テーブルを生成する生成工程とを有することを特徴とする画像処理方法によっても達成される。